(57)【要約】【課題】車内側に位置する筒状部を含む部分をアッパサッシュ部からサイドサッシュ部まで連続するフレーム体として構成し、このフレーム体を車外側から外装部材で覆ったドアフレーム構造において、外装部材に関する製造上のコストと手間を軽減させ、さらに材料や外観の選択自由度を向上させる。【解決手段】車外側に意匠部を位置させ車内側に筒状部を位置させたメインフレーム部材を備え、メインフレーム部材は、少なくとも筒状部をアッパサッシュ部からサイドサッシュ部にかけて連続させると共に、その間のコーナー部を曲げ形状とした一部材として構成される。そして、このメインフレーム部材のアッパサッシュ部の意匠部を車外側から覆う第１の外装部材と、第１の外装部材とは別部材からなり、メインフレーム部材のサイドサッシュ部の意匠部を車外側から覆う第２の外装部材によってドアフレームの外観を構成する。【選択図】図１
2013023130.tif 000002
【特許請求の範囲】
【請求項１】
ドアガラスの上縁部を保持するアッパサッシュ部と、該ドアガラスの側縁部を保持するサイドサッシュ部と、アッパサッシュ部とサイドサッシュ部の境界のコーナー部とを有する車両のドアフレーム構造において、
車外側に位置する意匠部と車内側に位置する筒状部とを有し、上記筒状部をアッパサッシュ部からサイドサッシュ部にかけて連続させると共に上記コーナー部を曲げ形状とすることで上記アッパサッシュ部からサイドサッシュ部に連続する一部材として構成されるメインフレーム部材；
上記メインフレーム部材のアッパサッシュ部の意匠部を車外側から覆う第１の外装部材；及び
第１の外装部材とは別部材からなり、上記メインフレーム部材のサイドサッシュ部の意匠部を車外側から覆う第２の外装部材；
を有することを特徴とする車両のドアフレーム構造。
【請求項２】
請求項１記載のドアフレーム構造において、上記メインフレーム部材と別部材として形成され、上記メインフレーム部材のアッパサッシュ部とサイドサッシュ部に対してそれぞれ固定されるアッパ側サブフレーム部材とサイド側サブフレーム部材を有し、該アッパ側サブフレーム部材とサイド側サブフレーム部材はそれぞれ、上記メインフレーム部材の上記意匠部と共に車外側を向く意匠部を有し、
上記第１の外装部材は、上記メインフレーム部材の意匠部と上記アッパ側サブフレーム部材の意匠部を車外側から覆い、上記第２の外装部材は、上記メインフレーム部材の意匠部と上記サイド側サブフレーム部材の意匠部を車外側から覆っている車両のドアフレーム構造。
【請求項３】
請求項２記載の車両のドアフレーム構造において、上記メインフレーム部材の板厚が上記アッパ側サブフレーム部材と上記サイド側サブフレーム部材の板厚よりも大きい車両のドアフレーム構造。
【請求項４】
請求項２または３記載の車両のドアフレーム構造において、上記サイド側サブフレーム部材の板厚が上記アッパ側サブフレーム部材の板厚よりも大きい車両のドアフレーム構造。
【請求項５】
請求項１ないし４のいずれか１項記載の車両のドアフレーム構造において、上記第１の外装部材よりも上記第２の外装部材の方が幅広に形成される車両のドアフレーム構造。
【請求項６】
請求項１ないし５のいずれか１項記載の車両のドアフレーム構造において、上記第１の外装部材が金属材料からなり、上記第２の外装部材が樹脂材料からなる車両のドアフレーム構造。
【発明の詳細な説明】
【技術分野】
【０００１】
本発明は車両のドアフレーム構造に関する。
【背景技術】
【０００２】
車両用ドアのドアフレームでアッパサッシュとサイドサッシュの間にコーナー部分を有する場合、アッパサッシュ形成部分とサイドサッシュ形成部分を別々のフレーム構成部品として製造し、互いの端面を対向させてコーナー部分にて接合させるという構造が知られている（特許文献１）。
【０００３】
ドアフレームの基本的な断面形状として、強度を確保するための筒状部が車内側に位置し、外観に表れる意匠部が車外側に位置し、その間にドアガラスの縁部を保持するためのガラスガイド部が形成される。これらの各部を含む複雑な断面形状の端面全体をドアコーナー部分で接合させることは、製造上のコストと手間がかかるものであった。その軽減を図るべく、出願人は、筒状部を含む部位を、アッパサッシュ部からサイドサッシュ部に連続する一部材からなるフレーム体として形成し、このフレーム体の意匠部を車外側から外装部材で覆った構造のドアフレーム構造を提案した（特許文献２）。
【先行技術文献】
【特許文献】
【０００４】
【特許文献１】特開２００７−１３７２００号公報
【特許文献２】特開２０１１−８４１２９号公報
【発明の概要】
【発明が解決しようとする課題】
【０００５】
特許文献２のドアフレーム構造では、外装部材を、フレーム体と同様にアッパサッシュ部からサイドサッシュ部に亘る形状に構成してからフレーム体に対して組み付ける構造としている。具体的には、外装部材のうちアッパサッシュ部の外観構成部分とサイドサッシュ部の外観構成部分をドアコーナー部にて溶接などで固定してから、フレーム体に組み付けていた。本発明は、このドアフレーム構造に適用される外装部材について、製造上のコストと手間をより一層軽減させ、材料や外観の選択自由度を向上させることを目的とする。
【課題を解決するための手段】
【０００６】
本発明は、ドアガラスの上縁部を保持するアッパサッシュ部と、該ドアガラスの側縁部を保持するサイドサッシュ部と、アッパサッシュ部とサイドサッシュ部の境界のコーナー部とを有する車両のドアフレーム構造に関するものである。ドアフレームの基本構造体として、車外側に意匠部を位置させ車内側に筒状部を位置させたメインフレーム部材を備える。メインフレーム部材は、筒状部をアッパサッシュ部からサイドサッシュ部にかけて連続させると共にコーナー部を曲げ形状とした一部材として構成される。そして、このメインフレーム部材のアッパサッシュ部の意匠部を車外側から覆う第１の外装部材と、第１の外装部材とは別部材からなり、メインフレーム部材のサイドサッシュ部の意匠部を車外側から覆う第２の外装部材を有することを特徴としている。
【０００７】
第１と第２の外装部材を組み付ける対象として、メインフレーム部材を補完するサブフレーム部材を追加してもよい。アッパサッシュ部ではメインフレーム部材と共にアッパ側サブフレーム部材が意匠部を構成し、この意匠部を第１の外装部材が車外側から覆う。サイドサッシュ部ではメインフレーム部材と共にサイド側サブフレーム部材が意匠部を構成し、この意匠部を第２の外装部材が車外側から覆う。この場合、メインフレーム部材の板厚をアッパ側サブフレーム部材とサイド側サブフレーム部材の板厚よりも大きく設定することが好ましい。また、サイド側サブフレーム部材の板厚をアッパ側サブフレーム部材の板厚よりも大きくすることが好ましい。
【０００８】
第１と第２の外装部材を別部材としたことで、それぞれに適した形状や材質で形成することが可能である。例えば第１の外装部材よりも第２の外装部材を幅広に形成するとよい。また、第１の外装部材を金属材料で形成し、第２の外装部材を樹脂材料で形成することが好ましい。
【発明の効果】
【０００９】
以上の本発明によれば、アッパサッシュ部用の第１の外装部材とサイドサッシュ部用の第２の外装部材を別部材として構成してメインフレームに取り付ける構成としたことで、外装部材についてメインフレームへの取り付け前の工数を少なくして、製造コストの軽減と生産性の向上を図ることができる。また、アッパサッシュ部とサイドサッシュ部で外装部材の意匠幅、デザイン、材質などを異ならせることが、従来に比べて容易になる。
【図面の簡単な説明】
【００１０】
【図１】本発明を適用した乗用車のフロントドアの分解斜視図である。
【図２】アッパサッシュ部の図１０のＡ-Ａ位置での断面図である。
【図３】リアサイドサッシュ部の図１０のＢ-Ｂ位置での断面図である。
【図４】メインフレームのフロントコーナー部分の斜視図である。
【図５】フロントコーナーパッチ組み付け状態でのフロントコーナー部付近の斜視図である。
【図６】メインフレームのリアコーナー部分の斜視図である。
【図７】第２サブフレーム組み付け状態でのリアコーナー部付近の斜視図である。
【図８】リアコーナー部付近のアウターフレームとガーニッシュを示す斜視図である。
【図９】リアコーナー部付近のアウターフレームとガーニッシュの異なる形態を示す斜視図である。
【図１０】乗用車のフロントドアの概略構造を示す側面図である。
【発明を実施するための形態】
【００１１】
図１０は本発明を適用する乗用車のフロントドア（以下、ドア）１０の概略構造を示している。ドア１０は、ドアパネル３０とその上部に位置するドアフレーム３１を備え、ドアパネル３０の上縁部とドアフレーム３１の内周部に囲まれる領域が窓開口部３２となっている。窓開口部３２内に昇降可能にドアガラス３３が設けられる。ドアフレーム３１は、ドア上縁部を形成するアッパサッシュ部３４と、アッパサッシュ部３４の前端部から下方へ延出されてドアパネル３０に固定されるフロントサイドサッシュ部３５と、アッパサッシュ部３４の後端部から下方へ延出されてドアパネル３０に固定されるリアサイドサッシュ部３６を備えており、アッパサッシュ部３４とフロントサイドサッシュ部３５の境界部分がフロントコーナー部３７、アッパサッシュ部３４とリアサイドサッシュ部３６の境界部分がリアコーナー部３８となっている。
【００１２】
図１に分解状態で示すように、ドア１０はインナーパネル１１、アウターパネル１２、メインフレーム１３、第１サブフレーム（アッパ側サブフレーム部材）１４、第２サブフレーム（サイド側サブフレーム部材）１５、アウターフレーム（第１の外装部材）１６、ガーニッシュ（第２の外装部材）１７、フロントコーナーパッチ１８を備えている。車内側に位置するインナーパネル１１と車外側に位置するアウターパネル１２によってドアパネル３０が構成され、メインフレーム１３、第１サブフレーム１４、第２サブフレーム１５、アウターフレーム１６、ガーニッシュ１７及びフロントコーナーパッチ１８によってドアフレーム３１が構成されている。なお、図１ではメインフレーム１３に第１サブフレーム１４を固定した状態で示している。
【００１３】
メインフレーム１３は、フロントサイドサッシュ部３５からアッパサッシュ部３４を経てリアサイドサッシュ部３６まで連続する一部材として形成されており、フロントサイドサッシュ部３５とアッパサッシュ部３４ではメインフレーム１３に対して第１サブフレーム１４が溶接で固定され（図２）、リアサイドサッシュ部３６ではメインフレーム１３に対して第２サブフレーム１５が溶接で固定されている（図３）。図２及び図３のＷは、メインフレーム１３に対する第１サブフレーム１４及び第２サブフレーム１５の溶接箇所を示している。
【００１４】
メインフレーム１３は、板状の金属材料をロール成形加工して図２及び図３に示す断面形状の長尺部材として形成され、ロール成形後に、長手方向の途中位置のフロントコーナー部３７とリアコーナー部３８で曲げ加工することによって、フロントサイドサッシュ部３５、アッパサッシュ部３４、リアサイドサッシュ部３６に対応した部分が形成される。この曲げ加工されたメインフレーム１３の内縁部に、凹状断面のガラスガイド部２０が形成される。以下の説明において、ガラスガイド部２０に面する側をメインフレーム１３の内周側と呼び、これと反対の側を外周側と呼ぶ。ドアガラス３３は、その縁部がガラスガイド部２０に沿って昇降される。フロントコーナー部３７とリアコーナー部３８におけるメインフレーム１３の曲げ加工として、具体的にはストレッチベンダ曲げやプレス曲げを用いることができる。
【００１５】
メインフレーム１３は、車内側に位置し閉鎖断面形状とされた筒状部１３ａと、筒状部１３ａから車外側に略平行に延出された一対の接続部１３ｂ、１３ｃと、接続部１３ｂの車外側の端部を内周側に折り曲げた内周側意匠部１３ｄを有する。換言すれば、メインフレーム１３は、車内側に位置する筒状部１３ａと、車外側に位置する内周側意匠部１３ｄを、ドアガラス３３の外縁部に対向する接続部１３ｂで接続し、この接続部１３ｂの外周側に接続部１３ｃを沿わせた構造になっている。筒状部１３ａの一部は内周側意匠部１３ｄに対向する立壁部１３ｅを構成している。図２や図３から分かるように、筒状部１３ａは、フロントサイドサッシュ部３５、アッパサッシュ部３４及びリアサイドサッシュ部３６に亘るメインフレーム１３の全体で一定断面形状になっている。但し、フロントコーナー部３７とリアコーナー部３８では、メインフレーム１３の曲げ加工に伴って筒状部１３ａが若干潰れた断面形状になる場合もある。
【００１６】
フロントサイドサッシュ部３５からアッパサッシュ部３４にかけての部分では、図２に示すように接続部１３ｃの外周側に第１サブフレーム１４が溶接で固定される。第１サブフレーム１４は、接続部１３ｃに沿う支持面部１４ａと、内周側意匠部１３ｄと略面一に並んで車外側に向く外周側意匠部１４ｂを有する。支持面部１４ａと外周側意匠部１４ｂに囲まれる領域内には、図示しないウェザストリップが配設され、支持面部１４ａの両側部に設けた抜け止め部１４ｃ、１４ｄによってウェザストリップが抜け止め保持される。
【００１７】
リアサイドサッシュ部３６では、図３に示すように、接続部１３ｃの外周側に第２サブフレーム１５が溶接で固定される。第２サブフレーム１５は、接続部１３ｂに沿う支持面部１５ａと、支持面部１５ａから外周方向に延設される中間部１５ｂと、中間部１５ｂの外周側端部に設けた外周側意匠部１５ｃを有する。支持面部１５ａを接続部１３ｃに固定した状態で、外周側意匠部１５ｃは内周側意匠部１３ｄから離れた位置で車外側に向く。なお、第１サブフレーム１４の抜け止め部１４ｃ、１４ｄに相当する部分を第２サブフレーム１５に形成し、第２サブフレーム１５を介してウェザストリップを保持させてもよい。
【００１８】
第１サブフレーム１４と第２サブフレーム１５は、板状の金属材料により形成されており、第２サブフレーム１５の板厚が第１サブフレーム１４の板厚よりも大きい。また、メインフレーム１３の板厚は第１サブフレーム１４と第２サブフレーム１５のいずれよりも大きい。
【００１９】
図４及び図６に示すように、フロントコーナー部３７とリアコーナー部３８では、メインフレーム１３における接続部１３ｂ及び接続部１３ｃの一部と内周側意匠部１３ｄが切除されており、筒状部１３ａの全体と接続部１３ｂ、１３ｃの一部のみが残されている。また、フロントコーナー部３７では、第１サブフレーム１４も切除されている。フロントコーナー部３７では、この切除部分を埋めるようにフロントコーナーパッチ１８が固定される（図５）。また、第２サブフレーム１５は、リアコーナー部３８でのメインフレーム１３の切除部分を埋める形状のコーナー形成部１５ｄを有している（図７）。フロントコーナー部３７やリアコーナー部３８におけるメインフレーム１３の上記部分切除は、フロントコーナー部３７やリアコーナー部３８を形成するためのメインフレーム１３の曲げ加工の後に行われ、これにより当該曲げ加工で生じた皺等の奇形部分が切除される。なお、フロントコーナー部３７とリアコーナー部３８には筒状部１３ａが残されているため、内周側意匠部１３ｄなどを切除してもメインフレーム１３全体として十分な強度を確保することができる。
【００２０】
以上のようにメインフレーム１３に対して第１サブフレーム１４、第２サブフレーム１５及びフロントコーナーパッチ１８を取り付けた状態で、これらの意匠部を車外側から覆うアウターフレーム１６とガーニッシュ１７が取り付けられる。フロントサイドサッシュ部３５からアッパサッシュ部３４までは、メインフレーム１３の内周側意匠部１３ｄと第１サブフレーム１４の外周側意匠部１４ｂが車外側を向く意匠部を構成し、リアサイドサッシュ部３６ではメインフレーム１３の内周側意匠部１３ｄと第２サブフレーム１５の外周側意匠部１５ｃが車外側を向く意匠部を構成する。図２と図３の比較から分かるとおり、リアサイドサッシュ部３６における意匠部（内周側意匠部１３ｄ、外周側意匠部１５ｃ）は、フロントサイドサッシュ部３５やアッパサッシュ部３４における意匠部（内周側意匠部１３ｄ、外周側意匠部１４ｂ）よりも幅広に形成されている。
【００２１】
アウターフレーム１６は、フロントサイドサッシュ部３５からアッパサッシュ部３４に亘る細幅の意匠部を覆う外装部材であり、本実施形態ではメインフレーム１３と同様に金属製の板材から形成される。図２に示すように、アウターフレーム１６は、内周側意匠部１３ｄと外周側意匠部１４ｂの車外側の面に対して意匠面１６ａを当接させ、該意匠面１６ａの内周側と外周側の縁部をそれぞれ車内側に折り返して形成した内周側ヘミング部１６ｂと外周側ヘミング部１６ｃによって内周側意匠部１３ｄと外周側意匠部１４ｂを挟着し、メインフレーム１３及び第１サブフレーム１４と結合される。図２はアッパサッシュ部３４の断面を示しているが、フロントサイドサッシュ部３５やフロントコーナー部３７においても、アウターフレーム１６は同様の構造でメインフレーム１３、第１サブフレーム１４及びフロントコーナーパッチ１８に対して結合される。
【００２２】
ガーニッシュ１７はリアサイドサッシュ部３６の幅広の意匠部を覆う外装部材であり、本実施形態では合成樹脂の成形品として形成される。図３に示すように、ガーニッシュ１７は、メインフレーム１３の内周側意匠部１３ｄと第２サブフレーム１５の外周側意匠部１５ｃに亘る幅をカバーする幅広の意匠面１７ａを有し、この意匠面１７ａの車内側を向く面にリブ１７ｂ、１７ｃが設けられている。意匠面１７ａの両側には、車内側へ曲げられた内周側曲げ縁部１７ｄと外周側曲げ縁部１７ｅが形成されている。ガーニッシュ１７は、リブ１７ｂ、１７ｃをそれぞれ内周側意匠部１３ｄと外周側意匠部１５ｃの外面に当接させることで、ドアの厚み方向の位置が決まる。また、内周側曲げ縁部１７ｄと外周側曲げ縁部１７ｅをそれぞれ内周側意匠部１３ｄと外周側意匠部１５ｃの縁部に沿わせることで、車両前後方向の位置が定まる。ガーニッシュ１７はメインフレーム１３と第２サブフレーム１５に対して、接着剤、両面テープ、クリップ止め、ビス締め、嵌め込みなどの手法によって固定される。
【００２３】
図８に示すように、ガーニッシュ１７の上端部は、第２サブフレーム１５のコーナー形成部１５ｄを覆うコーナーカバー部１７ｆを有しており、コーナーカバー部１７ｆがアウターフレーム１６の後端部に接している。これと異なる態様として、図９のように、アウターフレーム１６の後端部に、第２サブフレーム１５のコーナー形成部１５ｄを覆うコーナー延長部１６ｄを設け、このコーナー延長部１６ｄにガーニッシュ１７の上端部が接するようにすることも可能である。
【００２４】
前述の通り、ドアフレーム３１の内周部には、窓開口部３２側（フレーム内周側）に向けて開口された凹状断面部としてガラスガイド部２０が形成される。図２及び図３に示すように、メインフレーム１３の内周側意匠部１３ｄと立壁部１３ｅがガラスガイド部２０の車外側と車内側の側壁を構成し、接続部１３ｂがガラスガイド部２０の底面を構成している。アッパサッシュ部３４とフロントサイドサッシュ部３５ではさらに、アウターフレーム１６の内周側ヘミング部１６ｂも、ガラスガイド部２０の車外側の側壁を構成する（図２参照）。図示を省略するが、このガラスガイド部２０内に弾性材からなるガラスランが保持される。ガラスランは、ガラスガイド部２０内に進入したドアガラス３３の縁部の側面を車内側と車外側から挟んで弾性的に保持するリップを有する。フロントサイドサッシュ部３５とリアサイドサッシュ部３６のガラスランは、ドアガラス３３の前後の側縁部を保持し、アッパサッシュ部３４のガラスランは、ドアガラス３３の上縁部を保持する。
【００２５】
以上のように構成されるドアフレーム３１は、フロントサイドサッシュ部３５とリアサイドサッシュ部３６の下部がインナーパネル１１とアウターパネル１２の間のドアパネル内部空間に挿入され、当該挿入部分でドアパネル３０に対して固定される。
【００２６】
以上のように、本実施形態のドア１０では、ドアフレーム３１の基本形状をフロントサイドサッシュ部３５、アッパサッシュ部３４及びリアサイドサッシュ部３６に亘って一続きに形成されるメインフレーム１３で構成し、このメインフレーム１３に第１サブフレーム１４及び第２サブフレーム１５を組み付けて形成したフレーム本体部分に対して、外装部材であるアウターフレーム１６とガーニッシュ１７を取り付けた構造としている。メインフレーム１３（筒状部１３ａ）を各ドアコーナー部３７、３８で途切れない連続構造体とすることで、フレーム部材の端面をドアコーナーで付き合わせて接合する従来の構造に比べて、組み立てが容易で低コストに製造でき、また強度的にも優れている。また、ドアフレーム３１の外観を構成する外装部材を、アッパサッシュ部３４とフロントサイドサッシュ部３５をカバーするアウターフレーム１６と、リアサイドサッシュ部３６をカバーするガーニッシュ１７に分け、アウターフレーム１６とガーニッシュ１７を別々に組み付けていくことで、アウターフレーム１６とガーニッシュ１７を予め溶接などで相互に固定する手間が不要となり、生産性が向上している。また、アウターフレーム１６とガーニッシュ１７は、それぞれの意匠面１６ａ、１７ａの幅が異なっており、このような意匠幅の異なる外装部材を個別に製造及び管理することで、デザインの自由度が向上する。さらに、本実施形態のようにアウターフレーム１６を金属材料で形成し、ガーニッシュ１７を樹脂材料で形成するといった材料選択の自由度も高くなる。
【００２７】
以上、図示実施形態に基づき説明したが、本発明はこの実施形態に限定されるものではない。例えば、実施形態のドアフレーム３１では、フロントコーナー部３７を挟んでアッパサッシュ部３４とフロントサイドサッシュ部３５を分けて構成しているが、フロントコーナー部３７に相当する曲げ部を有さず、アッパサッシュ部がなだらかに湾曲してドアパネルへの固定部まで延設されるタイプのドアフレームであっても適用が可能である。
【００２８】
また、図示実施形態では、アッパサッシュ部３４とフロントサイドサッシュ部３５で、外周側意匠部１４ｂはメインフレーム１３に対して別部材からなる第１サブフレーム１４に形成されているが、外周側意匠部１４ｂに相当する部分をメインフレーム１３に形成することも可能である。具体的には、接続部１３ｃの長さを延長して、外周側に曲げることで外周側意匠部１４ｂに相当する部分を形成することができる。この場合、リアサイドサッシュ部３６では、第２サブフレーム１５との干渉を避けるべく、メインフレーム１３における外周側意匠部１４ｂ相当部分を切除するとよい。
【００２９】
また、図示実施形態のメインフレーム１３の筒状部１３ａは閉断面に形成されているが、閉断面でない筒状部を有するドアフレームにも本発明は適用が可能である。換言すれば、本発明において、メインフレーム部材の筒状部は、閉断面形状に限定されるものではなく、例えば一部が開放されたコ字状断面などであってもよい。
【００３０】
また、図示実施形態は乗用車のフロントドアへの適用例であるが、実施形態のアッパサッシュ部３４とサイドサッシュ部３６に相当する部位を含むフレーム構造を有するドアであれば、本発明は広く適用が可能である。
【００３１】
また、図示実施形態ではメインフレーム１３、第１サブフレーム１４、第２サブフレーム１５を金属材料で形成しているが、これらの部材を樹脂成形品として形成することも可能である。
【符号の説明】
【００３２】
１０  ドア
１１  インナーパネル
１２  アウターパネル
１３  メインフレーム
１３ａ  筒状部
１３ｂ  １３ｃ  接続部
１３ｄ  内周側意匠部
１３ｅ  立壁部
１４  第１サブフレーム（アッパ側サブフレーム部材）
１４ａ  支持面部
１４ｂ  外周側意匠部
１４ｃ  １４ｄ  抜け止め部
１５  第２サブフレーム（サイド側サブフレーム部材）
１５ａ  支持面部
１５ｂ  中間部
１５ｄ  コーナー形成部
１５ｃ  外周側意匠部
１６  アウターフレーム（第１の外装部材）
１６ａ  意匠面
１６ｂ  内周側ヘミング部
１６ｃ  外周側ヘミング部
１６ｄ  コーナー延長部
１７  ガーニッシュ（第２の外装部材）
１７ａ  意匠面
１７ｂ  １７ｃ  リブ
１７ｄ  内周側曲げ縁部
１７ｅ  外周側曲げ縁部
１７ｆ  コーナーカバー部
１８  フロントコーナーパッチ
２０  ガラスガイド部
３３  ドアガラス
３４  アッパサッシュ部
３５  フロントサイドサッシュ部
３６  リアサイドサッシュ部
３７  フロントコーナー部
３８  リアコーナー部
【図１】
2013023130.tif 000003
【図２】
2013023130.tif 000004
【図３】
2013023130.tif 000005
【図４】
2013023130.tif 000006
【図５】
2013023130.tif 000007
【図６】
2013023130.tif 000008
【図７】
2013023130.tif 000009
【図８】
2013023130.tif 000010
【図９】
2013023130.tif 000011
【図１０】
2013023130.tif 000012